(57)【要約】【課題】本発明は、波長毎に最適な分散値を設定することができ、光伝送路の分散の波長依存性を高精度に補償することができる分散補償装置及びそれを用いた波長分割多重通信システムを提供することを目的とする。【解決手段】複数の波長が多重化されたＷＤＭ信号を１つの入力ポートに入力されて波長分離し、分離した各波長の方路を複数の出力ポートのうち任意の出力ポートに切り替えて出力する波長選択光スイッチ手段３０と、波長選択光スイッチ手段の各出力ポートに接続され、それぞれ異なった分散補償値が設定された複数の分散補償手段４０１〜４０ｎと、複数の分散補償手段の出力する複数の波長を複数の入力ポートに供給されて合波しＷＤＭ信号を出力する合波手段５０を有する。【選択図】        図３
2004254018.tif 000002
【特許請求の範囲】
【請求項１】
複数の波長が多重化されたＷＤＭ信号を１つの入力ポートに入力されて波長分離し、分離した各波長の方路を複数の出力ポートのうち任意の出力ポートに切り替えて出力する波長選択光スイッチ手段と、
前記波長選択光スイッチ手段の各出力ポートに接続され、それぞれ異なった分散補償値が設定された複数の分散補償手段と、
前記複数の分散補償手段の出力する複数の波長を複数の入力ポートに供給されて合波しＷＤＭ信号を出力する合波手段を
有することを特徴とする分散補償装置。
【請求項２】
請求項１記載の分散補償装置において、
前記波長選択光スイッチ手段は、複数の出力ポートのうち特定の出力ポートから特定波長を外部に出力することを特徴とする分散補償装置。
【請求項３】
請求項１または２記載の分散補償装置において、
前記合波手段は、複数の入力ポートのうち特定の入力ポートから特定波長を供給され、前記複数の分散補償手段の出力する複数の波長と前記特定波長を合波することを特徴とする分散補償装置。
【請求項４】
第１ポートから入力される複数の波長が多重化されたＷＤＭ信号を第２ポートから出力し、前記第２ポートに入力されるＷＤＭ信号を第３ポートから出力する光サーキュレート手段と、
前記第２ポートから供給される前記複数の波長が多重化されたＷＤＭ信号を１つの入力ポートに入力されて波長分離し、分離した各波長の方路を複数の出力ポートのうち任意の出力ポートに切り替えて出力する波長選択光スイッチ手段と、
前記波長選択光スイッチ手段の各出力ポートに接続され、それぞれ異なった分散補償値が設定された複数の分散補償手段と、
前記複数の分散補償手段それぞれの端部で出力光を反射して折り返す複数の反射手段を
有することを特徴とする分散補償装置。
【請求項５】
請求項１乃至４のいずれか記載の分散補償装置を光伝送路に設けたことを特徴とする波長分割多重通信システム。
【発明の詳細な説明】
【０００１】
【発明の属する技術分野】
本発明は、分散補償装置及びそれを用いた波長分割多重通信システムに関し、光伝送システムで用いられる分散補償装置及びそれを用いた波長分割多重通信システムに関する。
【０００２】
【従来の技術】
近年インターネットの急速な普及またマルチメディア社会の進展に伴い、各国において通信需要が急速に伸張しており、これに対応するため、現在、ＷＤＭ（Ｗａｖｅｌｅｎｇｔｈ  Ｄｉｖｉｓｉｏｎ  Ｍｕｌｔｉｐｌｅｘｅｒ：波長分割多重）技術を用いた幹線光伝送システムの導入が進み、伝送容量の拡大が図られている。
【０００３】
図１は、従来のＷＤＭ通信システムの一例の構成図を示す。同図中、複数の光送信機１０それぞれは異なる波長の光信号を送信する。これらの光信号は複数の光減衰器１１で光パワーが一定となるように調整されたのち、光合波器１２で光多重される。光合波器１２の出力するＷＤＭ信号は光ポストアンプ１３で一括増幅されて光伝送路１４に送出され、光伝送路１４途中の光インラインアンプ１５で増幅されて光分岐挿入装置（ＯＡＤＭ）１６に伝送される。
【０００４】
光分岐挿入装置１６では光信号の分岐／挿入が行われ、光分岐挿入装置１６の出力するＷＤＭ信号は光伝送路１７を伝送され、光プリアンプ１８を通して光分波器１９に供給され、ここで波長毎に分波されたのち複数の光受信機２０で受信される。
【０００５】
通信速度１０Ｇｂ／ｓの陸上ＷＤＭ通信システムでは、波長間隔１００ＧＨｚ（約０．８ｎｍ）で４０波多重や波長間隔５０ＧＨｚ（約０．４ｎｍ）で８８波多重を用い１５００ｋｍ伝送可能なシステムが開発されている。この場合、３２〜３６ｎｍ程度の波長帯域を使用する。
【０００６】
ＷＤＭ通信システムで長距離伝送する場合、分散補償が課題のひとつである。長距離システムでは、光アンプとしてエルビウム添加光ファイバ増幅器（以下ＥＤＦＡと略称する）を用いるが、その増幅帯域に合わせて１．５μｍ帯で伝送を行う。
【０００７】
ＷＤＭ伝送用の光伝送路としては、１．５５μｍ帯で＋１８ｐｓ／ｎｍ／ｋｍ程度の大きな分散を有する１．３μｍ帯の零分散シングルモードファイバ（以下ＳＭＦと略称する）や、１．５５μｍ帯でわずかな分散をもつノンゼロ分散シフトファイバ（以下ＮＺ−ＤＳＦと略称する）が用いられる。
【０００８】
このように、光伝送路が数ｐｓ／ｎｍ／ｋｍ程度の分散を持つのは、零分散波長付近で波長多重信号を伝送すると四光波混合現象により干渉光が発生するので、それを避けるためである。
【０００９】
波長分散は、光パルスの伝播速度が光の波長（周波数）に依存する現象である。高速に変調された光パルスは、周波数領域では広いスペクトラムを持つことになり、このような光パルスが光ファイバ中を伝播すると、光ファイバの波長分散の影響によりスペクトラム中の短波長成分と長波長成分との伝播速度が相違し、光パルスの波形が変化する。このような波長分散の影響を軽減するために、光ファイバの分散値を逆の分散値をもつ分散補償器（ＤＣＭ：ＤｉｓｐｅｒｓｉｏｎＣｏｍｐｅｎｓａｔｉｏｎ  Ｍｏｄｕｌｅ）を用いて補償することが従来から行われている。
【００１０】
分散補償器としては、（１）グレーティングを用いた構成、（２）光干渉計を用いた構成、（３）光ファイバを用いた構成等が提案されている。この中でも光ファイバを用いた分散補償器は、制御回路等が必要でなく、受動的な動作が可能であること、使用波長帯域が他の構成の分散補償器に比較して極めて広いこと等によって、広く用いられている（例えば、特許文献１，２，３参照。）。
【００１１】
通信速度が数１０Ｇｂ／ｓの伝送を行う陸上のＷＤＭシステムでは、光アンプの中段に分散補償器を挿入し、ＷＤＭ信号を一括して補償を行う。光ファイバの分散には波長依存性があるため、図２に示すように各波長で分散係数はわずかに異なる。これを二次分散または分散スロープと呼ぶ。図２には、ＳＭＦ，ＮＺ−ＤＳＦ，ＤＣＭの分散スロープと、ＳＭＦを分散補償器（ＤＣＭ）で補償した分散スロープ及びＮＺ−ＤＳＦを分散補償器で補償した分散スロープを示す。
【００１２】
また、長距離伝送を行うと、分散スロープのため各波長間で分散量の偏差が大きくなり、受信器の分散許容値を超えてしまう。これを補償するために、分散補償器に逆分散スロープを与えている。
【００１３】
【特許文献１】
特開平９−２１８３１４号公報
【００１４】
【特許文献２】
特開平９−２６１１７３号公報
【００１５】
【特許文献３】
特開平１１−２０４８６６号公報
【００１６】
【発明が解決しようとする課題】
分散補償後の各波長間の分散量を０とするには、ＳＭＦの１次分散係数Ｄ１（ｐｓ／ｎｍ／ｋｍ），２次分散係数（スロープ）Ｓ１（ｐｓ／ｎｍ２／ｋｍ）とし、ＤＣＭの１次分散係数Ｄ２，２次分散係数Ｓ２とすると、Ｓ１／Ｄ１＝Ｓ２／Ｄ２であることが必須である。ＮＺ−ＤＳＦではＳ２／Ｄ２としてＳＨＦに比して大きな値、即ち大きな分散スロープが必須であり、従来の単一の分散補償器では補償が不十分であり、充分な分散補償を行うためには伝送距離を制限する必要があった。また、長距離伝送においては、途中で信号を挿入／分岐するノード（ＯＡＤＭ）を入れる場合が多く、この場合には各信号の通過するルートが異なり、波長によって伝送路長が異なり、各波長で最適な分散補償を行うことができないという問題があった。
【００１７】
一方、通信速度が４０Ｇｂ／ｓ伝送の場合、分散補償許容誤差が−２５〜２５ｐｓ／ｎｍと狭い。このため、光伝送路の分散の波長依存性を高精度に補償する必要がある。例えば、ＳＭＦを伝送路とした場合、分散スロープ０．０８［ｐｓ／ｎｍ２／ｋｍ］、波長帯域３２ｎｍ，伝送距離６００ｋｍ、スロープ補償誤差５％とすると、０．０８×３２×６００×０．０５＝８０［ｐｓ／ｎｍ］となって分散補償許容誤差を超えてしまう。更に、二次以上の高次の分散も無視できなくなるという問題があった。
【００１８】
本発明は、上記の点に鑑みなされたものであり、波長毎に最適な分散値を設定することができ、光伝送路の分散の波長依存性を高精度に補償することができる分散補償装置及びそれを用いた波長分割多重通信システムを提供することを目的とする。
【００１９】
【課題を解決するための手段】
請求項１に記載の発明は、複数の波長が多重化されたＷＤＭ信号を１つの入力ポートに入力されて波長分離し、分離した各波長の方路を複数の出力ポートのうち任意の出力ポートに切り替えて出力する波長選択光スイッチ手段と、
前記波長選択光スイッチ手段の各出力ポートに接続され、それぞれ異なった分散補償値が設定された複数の分散補償手段と、
前記複数の分散補償手段の出力する複数の波長を複数の入力ポートに供給されて合波しＷＤＭ信号を出力する合波手段を有することにより、
波長毎に最適な分散値を設定することができ、光伝送路の分散の波長依存性を高精度に補償することができる。
【００２０】
請求項２に記載の発明では、波長選択光スイッチ手段は、複数の出力ポートのうち特定の出力ポートから特定波長を外部に出力することにより、
各波長の分散補償値の調整を行うと同時に、特定波長のドロップを行うことができる。
【００２１】
請求項３に記載の発明では、合波手段は、複数の入力ポートのうち特定の入力ポートから特定波長を供給され、前記複数の分散補償手段の出力する複数の波長と前記特定波長を合波することにより、
各波長の分散補償値の調整を行うと同時に、特定波長のアッドを行うことができる。
【００２２】
請求項４に記載の発明は、第１ポートから入力される複数の波長が多重化されたＷＤＭ信号を第２ポートから出力し、前記第２ポートに入力されるＷＤＭ信号を第３ポートから出力する光サーキュレート手段と、
前記第２ポートから供給される前記複数の波長が多重化されたＷＤＭ信号を１つの入力ポートに入力されて波長分離し、分離した各波長の方路を複数の出力ポートのうち任意の出力ポートに切り替えて出力する波長選択光スイッチ手段と、前記波長選択光スイッチ手段の各出力ポートに接続され、それぞれ異なった分散補償値が設定された複数の分散補償手段と、
前記複数の分散補償手段それぞれの端部で出力光を反射して折り返す複数の反射手段を有することにより、
単一の波長選択光スイッチ手段で合波手段を兼用することができ、構成が簡単になる。
【００２３】
【発明の実施の形態】
図３は、本発明の分散補償装置の第１実施例の構成図を示す。同図中、分散補償装置は波長選択光スイッチ３０，５０と、分散補償器４０１〜４０ｎと、光スイッチ制御回路６０から構成されている。
【００２４】
波長選択光スイッチ３０は、１つの入力ポートに対してｎ個の出力ポートを有し、光アンプ６２からＷＤＭ信号を供給される。波長選択光スイッチ３０はＷＤＭ信号を分波し、各波長信号を光スイッチ制御回路６０の制御に応じて任意の出力ポートに切り替える。
【００２５】
波長選択光スイッチ３０の各出力ポートに接続するｎ個の分散補償器４０１〜４０ｎはそれぞれ分散補償値が異なっており、各分散補償器４０１〜４０ｎから出力される波長信号は波長選択光スイッチ５０のｎ個の入力ポートに接続される。波長選択光スイッチ５０は、ｎ個の入力ポートに対して１つの出力ポートを有しており、各ポートから入力した異なる波長信号を適切に制御することで１つのＷＤＭ信号に号はすることができる。波長選択光スイッチ５０で合波されたＷＤＭ信号は出力ポートから光アンプ６３を通して出力される。
【００２６】
入力したＷＤＭ信号の各波長は、波長選択光スイッチ３０で分散補償器４０１〜４０ｎに対する方路を選択することで、最適な分散補償値を分散補償器４０１〜４０ｎの中から選択することができる。
【００２７】
上記波長選択光スイッチ３０としては、回折デバイス３１と、回折デバイス３１で分光した各波長を受光して出力する方路を切り替えられる小型ミラー（ＭＥＭＳ−ＳＷ）３２１〜３２ｎと、複数の方路に対応し各小型ミラー３２１〜３２ｎからの光を合波する回折デバイス３３１〜３３ｎからなる構成が考えられる。ｎ＝４の例としては、文献Ｄ．Ｍ．Ｍａｒｏｍ  ｅｔ，ａｌ，”Ｗａｖｅｌｅｎｇｔｈ−ｓｅｌｅｃｔｉｖｅ  １×４  ｓｗｉｔｃｈ  ｆｏｒ  １２８ＷＤＭ  ｃｈａｎｎｅｌｓ  ａｔ  ５０ＧＨｚ  ｓｐａｃｉｎｇ”ＯＦＣ２００２  ＰＤ−ＦＢ７に記載されている。また、波長選択光スイッチ５０は、波長選択光スイッチ３０の入出力を逆にして使用することで実現可能である。
【００２８】
分散補償器４０１〜４０ｎとしては、例えば分散補償ファイバを用いる。補償すべき波長間の分散偏差量をＤ［ｐｓ／ｎｍ］、波長選択光スイッチ３０の出力ポート数をｎとした場合、各分散補償ファイバの分散量は、−Ｄ／ｎ，−２Ｄ／ｎ，…，−Ｄ［ｐｓ／ｎｍ］で与え、各分散補償ファイバの分散補償値を等ステップで設定する。分散の偏差量が小さくなうように、波長毎に通過する分散補償器４０１〜４０ｎを決め、その方路へ出力するように光スイッチ制御回路６０で波長選択光スイッチ３０を制御する。なお、光スイッチ制御回路６０は図示しない上位装置からＷＤＭ信号内の各波長について、その波長と経路（伝送距離）に応じてどの程度の分散補償を行うかの制御情報を供給されている。
【００２９】
これにより、この分散補償器通過後の波長間の分散補償偏差はＤ／ｎまでに圧縮される。入力光信号の分散補償残量が図４（Ａ）に示すような場合、分散補償器４０１〜４０４の分散補償値が図４（Ｂ）に示す設定であれば、波長選択光スイッチ５０の出力する光信号の分散補償残量は図４（Ｃ）に示すようになる。
【００３０】
ここでは、分散補償残量が波長に対して直線的な場合を示したが、後述するように、任意の局でアッド／ドロップするＯＡＤＭシステムやリングネットワークでは、波長毎に最適な分散補償量が異なり、図１１に示すように、波長毎に最適な分散補償量を選択する場合もある。
【００３１】
なお、分散補償器４０１〜４０ｎそれぞれの分散補償値は等間隔でなく、不等間隔に設定してもよい。また、波長選択光スイッチ３０ではＷＤＭ信号を波長毎に分波して方路を選択するものであっても良いが、ＷＤＭ信号を複数の波長グループに分波して波長グループ毎に方路を選択するものであっても良い。
【００３２】
図５は、本発明の分散補償装置の第２実施例の構成図を示す。同図中、図３と同一部分には同一符号を付す。
【００３３】
図５において、波長選択光スイッチ３０は、１つの入力ポートに対してｎ個の出力ポートを有し、光アンプ６４，分散補償器６５，光アンプ６６を通してＷＤＭ信号を供給される。波長選択光スイッチ３０はＷＤＭ信号を分波し、各波長信号を光スイッチ制御回路６０の制御に応じて任意の出力ポートに切り替える。なお、光スイッチ制御回路６０は図示しない上位装置からＷＤＭ信号内の各波長について、その波長と経路（伝送距離）に応じてどの程度の分散補償を行うかの制御情報を供給されている。
【００３４】
波長選択光スイッチ３０を構成する回折デバイス３３１〜３３ｎのうち回折デバイス３３ｎは光信号のドロップ用として用いられ、回折デバイス３３ｎの出力ポートから出力される光信号は光分波器７０で波長毎に分波されて出力される。
【００３５】
波長選択光スイッチ３０の回折デバイス３３１〜３３ｎのうち回折デバイス３３ｎを除く各出力ポートにはｎ−１個の分散補償器４０１…が接続されている。分散補償器４０１…はそれぞれ分散補償値が異なっており、各分散補償器４０１…から出力される波長信号は波長選択光スイッチ５０のｎ−１個の入力ポートに接続される。波長選択光スイッチ５０は、ｎ個の入力ポートに対して１つの出力ポートを有しており、波長選択光スイッチ５０を構成する回折デバイス３３１〜３３ｎのうち回折デバイス３３ｎの入力ポートは光合波器７２に接続されており、光信号のアッド用として用いられる。光合波器７２で合波された光信号は波長選択光スイッチ５０の回折デバイス３３ｎに入力され、分散補償器４０１…それぞれを通して供給される光信号と合波される。
【００３６】
このようにして、各波長の分散補償値の調整を行うと同時に、光アッド／ドロップ装置としての機能も同時にもつことができる。
【００３７】
図６は、本発明の分散補償装置の第３実施例の構成図を示す。同図中、図３と同一部分には同一符号を付す。
【００３８】
図６において、光アンプ７４から光サーキュレータ７６の第１ポートに入力されたＷＤＭ信号は光サーキュレータ７６の第２ポートから波長選択光スイッチ３０の入力ポートに供給される。波長選択光スイッチ３０は、１つの入力ポートに対してｎ個の出力ポートを有しており、入力ポートからＷＤＭ信号を供給される。波長選択光スイッチ３０はＷＤＭ信号を分波し、各波長信号を光スイッチ制御回路６０の制御に応じて任意の出力ポートに切り替える。なお、光スイッチ制御回路６０は図示しない上位装置からＷＤＭ信号内の各波長について、その波長と経路（伝送距離）に応じてどの程度の分散補償を行うかの制御情報を供給されている。
【００３９】
波長選択光スイッチ３０の各出力ポートに接続するｎ個の分散補償器４０１〜４０ｎはそれぞれ分散補償値が異なっている。各分散補償器４０１〜４０ｎの端部は光反射器８０１〜８０ｎが設けられている。光反射器８０１〜８０ｎは、例えば分散補償器４０１〜４０ｎとしての分散補償ファイバそれぞれの端面にミラーを蒸着して構成する。
【００４０】
波長選択光スイッチ３０の出力する各波長の光信号は分散補償器４０１〜４０ｎそれぞれで分散補償されたのち、光反射器８０１〜８０ｎそれぞれで反射されて折り返され、再び分散補償器４０１〜４０ｎそれぞれで分散補償されて波長選択光スイッチ３０の各出力ポートに供給される。そして、波長選択光スイッチ３０内を逆行してＷＤＭ信号に合波され、波長選択光スイッチ３０の入力ポートから出力される。このＷＤＭ信号は光サーキュレータ７６の第２ポートに供給され、光サーキュレータ７６の第３ポートから出力されて光アンプ７８に供給され、光アンプ７８で増幅されて出力される。
【００４１】
この実施例では、単一の波長選択光スイッチ３０で第１実施例における波長選択光スイッチ５０の機能を兼ねることができ、構成が簡単になる。また、各波長の光信号は分散補償器４０１〜４０ｎを２度通るため、各分散補償器４０１〜４０ｎの分散補償値を第１実施例における分散補償値の１／２にすることができる。
【００４２】
図７は、本発明の分散補償装置を用いたＷＤＭ通信システムの第１実施例の構成図を示す。同図中、複数の光送信機８２１〜８２ｍそれぞれは異なる波長の光信号を送信する。これらの光信号は複数の光減衰器８４１〜８４ｍで光パワーが一定となるように調整されたのち、光合波器８６で光多重される。光合波器８６の出力するＷＤＭ信号は、図３に示す構成の本発明の分散補償装置８８で分散補償されたのち、光ポストアンプ９０で増幅されて光伝送路９２に送出される。この後、ＷＤＭ信号は光インラインアンプ９４で増幅されて光伝送路９６を伝送され、光プリアンプ９８を通して図３に示す構成の本発明の分散補償装置１００に伝送され、ここで分散補償された後、光分波器１０２で波長毎に分波され、複数の光受信機１０４１〜１０４ｍで受信される。
【００４３】
前段の分散補償装置８８と後段の分散補償装置１００で分散ステップを変えている。例えば前段の分散補償装置８８の分散補償器４０１〜４０ｎは分散量ステップがＸ［ｐｓ／ｎｍ］のｐ（ｎ＝ｐ）個の分散補償ファイバで構成され、後段の分散補償装置１００の分散補償器４０１〜４０ｎは分散量ステップがＸ／ｑ［ｐｓ／ｎｍ］でｑ（ｎ＝ｑ）個の分散補償ファイバで構成される。
【００４４】
このような構成をとることで、ｐＸ［ｐｓ／ｎｍ］の範囲で入力したＷＤＭ信号を前段の分散補償装置８８は分散偏差量Ｘの精度で補償し、その出力を後段の分散補償装置１００は分散偏差量をＸ／ｑの精度で補償するため、ｐＸ［ｐｓ／ｎｍ］の範囲で入力したＷＤＭ信号の波長間の分散偏差量をＸ／ｑの精度で補償可能となり、４０Ｇｂ／ｓのＷＤＭ信号のように、高精度に波長間の分散補償値を調整する必要がある場合に好適である。なお、図７のように分散補償装置８８，１００を離間配置するに限らず、隣接して配置しても良い。
【００４５】
図８は、本発明の分散補償装置の第４実施例の構成図を示す。同図中、図３と同一部分には同一符号を付し、その説明を省略する。図８において、光アンプ６３の出力するＷＤＭ信号の一部は光分岐部１１０で分岐されてスペクトルアナライザ（ＳＡＵ）１１２に供給される。スペクトルアナライザ１１２はＷＤＭ信号の波長検出を行って各波長の電力をモニタして光スイッチ制御回路１１４に供給する。
【００４６】
光スイッチ制御回路１１４は、ＷＤＭ信号の各波長の電力が同一となるように、波長選択光スイッチ５０の小型ミラー３２１〜３２ｎそれぞれの角度調整を行う。上記小型ミラー３２１〜３２ｎの角度調整を行うことにより、回折デバイス３１から出力される各波長の回折デバイス３３１〜３３ｎに至るまでの光損失が可変調整され、光アンプ６３から出力されるＷＤＭ信号は各波長の電力を同一に調整することが可能となる。
【００４７】
図９は、本発明の分散補償装置を用いたＷＤＭ通信システムの第２実施例の構成図を示す。同図中、ノード１２０，１２１は光伝送路で集線装置（ＨＵＢ）１２２に接続され、同様にノード１２３，１２４，１２５は光伝送路で集線装置１２２に接続され、また、ノード１２６は光伝送路で集線装置１２２に接続されている。
【００４８】
ここで、ノード１２０でアッドされる波長λ１，λ４０はノード１２５でドロップされ、ノード１２０でアッドされる波長λ３９はノード１２３でドロップされ、伝送経路長が異なっている。このようなシステムでは、集線装置１２２に本発明の分散補償装置を設けることにより、伝送経路長が異なる各波長について最適な分散補償が可能となる。
【００４９】
図１０は、本発明の分散補償装置を用いたＷＤＭ通信システムの第３実施例の構成図を示す。同図中、ノード１３０〜１３５は第１のリングネットワークを構成し、また、ノード１３４〜１４１は第２のリングネットワークを構成しており、ノード１３４，１３５は両リングネットワークを構成している。
【００５０】
ここで、ノード１３０でアッドされた波長λ１がノード１３５，１３６を経由してノード１３７でドロップされているものとする。この状態で、ノード１３６，１３７間の伝送路で障害が発生すると、ノード１３０でアッドされた波長λ１はノード１３５からノード１３６，１３４，１４１，１４０，１３９，１３８の経路でノード１３７に至ってドロップされるよう経路の切り替えが行われる。
【００５１】
これによって、波長λ１の伝送経路長は障害発生によって異なったものになるが、このようなシステムでは、ノード１３４またはノード１３５に本発明の分散補償装置を設けることにより、波長λ１の伝送経路が切り替わった場合にも、伝送経路の切り替え時に波長λ１に対する分散補償値を伝送経路長に応じた最適な値とすることが可能となる。
【００５２】
なお、波長選択光スイッチ３０，光スイッチ制御回路６０が請求項記載の波長選択光スイッチ手段に対応し、分散補償器４０１〜４０ｎが分散補償手段に対応し、波長選択光スイッチ５０が合波手段に対応し、光サーキュレータ７６が光サーキュレート手段に対応し、光反射器８０１〜８０ｎが反射手段に対応し、小型ミラー３２１〜３２ｎ，光スイッチ制御回路６０が光損失調整手段に対応する。
【００５３】
（付記１）  複数の波長が多重化されたＷＤＭ信号を１つの入力ポートに入力されて波長分離し、分離した各波長の方路を複数の出力ポートのうち任意の出力ポートに切り替えて出力する波長選択光スイッチ手段と、
前記波長選択光スイッチ手段の各出力ポートに接続され、それぞれ異なった分散補償値が設定された複数の分散補償手段と、
前記複数の分散補償手段の出力する複数の波長を複数の入力ポートに供給されて合波しＷＤＭ信号を出力する合波手段を
有することを特徴とする分散補償装置。
【００５４】
（付記２）  付記１記載の分散補償装置において、
前記波長選択光スイッチ手段は、複数の出力ポートのうち特定の出力ポートから特定波長を外部に出力することを特徴とする分散補償装置。
【００５５】
（付記３）  付記１または２記載の分散補償装置において、
前記合波手段は、複数の入力ポートのうち特定の入力ポートから特定波長を供給され、前記複数の分散補償手段の出力する複数の波長と前記特定波長を合波することを特徴とする分散補償装置。
【００５６】
（付記４）  第１ポートから入力される複数の波長が多重化されたＷＤＭ信号を第２ポートから出力し、前記第２ポートに入力されるＷＤＭ信号を第３ポートから出力する光サーキュレート手段と、
前記第２ポートから供給される前記複数の波長が多重化されたＷＤＭ信号を１つの入力ポートに入力されて波長分離し、分離した各波長の方路を複数の出力ポートのうち任意の出力ポートに切り替えて出力する波長選択光スイッチ手段と、前記波長選択光スイッチ手段の各出力ポートに接続され、それぞれ異なった分散補償値が設定された複数の分散補償手段と、
前記複数の分散補償手段それぞれの端部で出力光を反射して折り返す複数の反射手段を
有することを特徴とする分散補償装置。
【００５７】
（付記５）  付記１乃至４のいずれか記載の分散補償装置を光伝送路に設けたことを特徴とする波長分割多重通信システム。
【００５８】
（付記６）  付記１乃至４のいずれか記載の分散補償装置において、
前記複数の分散補償手段それぞれに等ステップで分散補償値を設定したことを特徴とする分散補償装置。
【００５９】
（付記７）  付記１記載の分散補償装置において、
前記合波手段は、複数の入力ポートに入力された複数の波長それぞれの方路を１つの出力ポートに切り替え、合波して得たＷＤＭ信号を出力する波長選択光スイッチ手段で構成され、
前記複数の入力ポートから前記１つの出力ポートに至る各波長の光損失を可変調整する光損失調整手段を
有することを特徴とする分散補償装置。
【００６０】
（付記８）  付記６記載の分散補償装置を複数台接続して構成され、
各分散補償装置の複数の分散補償手段に設定されている等ステップの分散補償値を、分散補償装置毎に異ならせたことを特徴とする分散補償装置。
【００６１】
（付記９）  付記１または７記載の分散補償装置において、
前記波長選択光スイッチ手段は、入力光を分光する第１回折デバイスと、
前記回折デバイスで分光された各波長の方路を切り替える複数のミラーと、
前記複数のミラーから供給される複数の波長を合波する第２回折デバイスとよりなることを特徴とする分散補償装置。
【００６２】
（付記１０）  付記１または７記載の分散補償装置において、
前記波長選択光スイッチ手段は、入力光を分光する第１回折デバイスと、
前記回折デバイスで分光された各波長の方路を切り替える複数のミラーと、
前記複数のミラーから供給される複数の波長を合波する第２回折デバイスとよりなることを特徴とする分散補償装置。
【００６３】
（付記１１）  付記８記載の分散補償装置を構成し等ステップの分散補償値が異なる複数台の分散補償装置を光伝送路中の異なる位置に設けたことを特徴とする波長分割多重通信システム。
【００６４】
【発明の効果】
上述の如く、請求項１に記載の発明によれば、波長毎に最適な分散値を設定することができ、光伝送路の分散の波長依存性を高精度に補償することができる。
【００６５】
請求項２に記載の発明によれば、各波長の分散補償値の調整を行うと同時に、特定波長のドロップを行うことができる。
【００６６】
請求項３に記載の発明によれば、各波長の分散補償値の調整を行うと同時に、特定波長のアッドを行うことができる。
【００６７】
請求項４に記載の発明によれば、単一の波長選択光スイッチ手段で合波手段を兼用することができ、構成が簡単になる。
【図面の簡単な説明】
【図１】従来のＷＤＭ通信システムの一例の構成図である。
【図２】ＳＭＦ，ＮＺ−ＤＳＦ，ＤＣＭの分散スロープと、ＳＭＦを分散補償器で補償した分散スロープ及びＮＺ−ＤＳＦを分散補償器で補償した分散スロープを示す図である。
【図３】本発明の分散補償装置の第１実施例の構成図である。
【図４】入力光信号の分散補償残量及び分散補償器の分散補償値及び出力光信号の分散補償残量を示す図である。
【図５】本発明の分散補償装置の第２実施例の構成図である。
【図６】本発明の分散補償装置の第３実施例の構成図である。
【図７】本発明の分散補償装置を用いたＷＤＭ通信システムの第１実施例の構成図である。
【図８】本発明の分散補償装置の第４実施例の構成図である。
【図９】本発明の分散補償装置を用いたＷＤＭ通信システムの第２実施例の構成図である。
【図１０】本発明の分散補償装置を用いたＷＤＭ通信システムの第３実施例の構成図である。
【図１１】分散補償器の分散補償量を示す図である。
【符号の説明】
３０，５０  波長選択光スイッチ
３１，３３１〜３３ｎ  回折デバイス
３２１〜３２ｎ  小型ミラー
４０１〜４０ｎ  分散補償器
６０  光スイッチ制御回路
７０  光分波器
７２  光合波器
７６  光サーキュレータ
８０１〜８０ｎ  光反射器
【図１】
2004254018.tif 000003
【図２】
2004254018.tif 000004
【図３】
2004254018.tif 000005
【図４】
2004254018.tif 000006
【図５】
2004254018.tif 000007
【図６】
2004254018.tif 000008
【図７】
2004254018.tif 000009
【図８】
2004254018.tif 000010
【図９】
2004254018.tif 000011
【図１０】
2004254018.tif 000012
【図１１】
2004254018.tif 000013